(57)【特許請求の範囲】
【請求項１】
コネクタと、
前記コネクタが装着されるコネクタホルダと、
前記コネクタに回動可能に備えられたレバーと、
前記コネクタを前記コネクタホルダの所定の位置にスライドして固定するガイド部とガイド受け部およびロック部とロック受け部を有するロック構造と、
前記レバーに設けられ、前記コネクタが前記所定の位置に装着されていない場合に回動されると、前記コネクタホルダの当接部に当接して前記コネクタを前記所定の位置まで押して矯正する矯正部と、
を備えたレバーコネクタ。
【請求項２】
前記コネクタホルダには前記コネクタが複数装着されるものとされ、
前記当接部が、隣り合う前記コネクタの間に設けられて共用されている請求項１に記載のレバーコネクタ。
【発明の詳細な説明】
【技術分野】
【０００１】
本発明は、レバーコネクタに関する。
【背景技術】
【０００２】
従来、コネクタと、コネクタが装着されるコネクタホルダと、回動可能なレバーとを備えたレバーコネクタが知られている。例えば下記特許文献１に記載のレバーコネクタにおいては、コネクタホルダにレバーが回動可能に備えられ、コネクタホルダをコネクタの所定の位置まで押し込んだ後にレバーを回動することで、コネクタホルダとコネクタとの嵌合が進み、やがて完全に嵌合するものとされている。そして、コネクタホルダがコネクタの所定の位置まで至っていない場合には、レバーがコネクタに設けられた受け部に当接して、その回動動作が行えないようになっている。これにより、作業者は、コネクタホルダがコネクタに対して不完全な位置にあることに気付くことができ、コネクタホルダは確実に所定の位置まで押し込まれる。
【先行技術文献】
【特許文献】
【０００３】
【特許文献１】特開２００８−１０３２２４号公報
【発明の概要】
【発明が解決しようとする課題】
【０００４】
ところで、上記のようなレバーコネクタにおいて、コネクタホルダがコネクタに対して不完全な位置にあることに起因してレバーの回動動作が制限されているのにもかかわらず、作業者が、レバーを回動させようとして強い力を加えてしまうことがある。すると、レバーの当接部位に過度の力が作用し、部品の損傷等を招く虞がある。
【０００５】
本発明は上記のような事情に基づいて完成されたものであって、レバーの当接部位に部品の損傷を招くほどの過度の力が加わることを防ぐことができ、かつコネクタをコネクタホルダの所定の位置に確実に装着することが可能なレバーコネクタを提供することを目的とする。
【課題を解決するための手段】
【０００６】
本発明のレバーコネクタは、コネクタと、前記コネクタが装着されるコネクタホルダと、前記コネクタに回動可能に備えられたレバーと、前記コネクタを前記コネクタホルダの所定の位置にスライドして固定するガイド部とガイド受け部およびロック部とロック受け部を有するロック構造と、前記レバーに設けられ、前記コネクタが前記所定の位置に装着されていない場合に回動されると、前記コネクタホルダの当接部に当接して前記コネクタを前記所定の位置まで押して矯正する矯正部と、を備えたものである。
【発明の効果】
【０００７】
本発明によれば、コネクタがコネクタホルダの所定の位置に装着されていない場合にレバーが回動されると、レバーの矯正部がコネクタホルダの当接部に当接してコネクタを所定の位置まで押して矯正し、所定の位置に至ったコネクタはロック部によってコネクタホルダに固定される。したがって、レバーの当接部位に部品の損傷を招くほどの過度の力が加わることを防ぐことができ、かつコネクタを確実に所定の位置に装着することができる。
【図面の簡単な説明】
【０００８】
【図１】本実施例におけるレバーコネクタであって、２つのコネクタがコネクタホルダに固定された状態を示す正面図
【図２】２つのコネクタがコネクタホルダに固定された状態のレバーコネクタを示す平面図
【図３】コネクタホルダを示す平面図
【図４】第１ハウジングを示す底面図
【図５】レバーが初期位置にあるときのコネクタおよびコネクタホルダを示す平面図
【図６】レバーが初期位置にあるときのコネクタおよびコネクタホルダを示す断面図であって、図５のＡ−Ａ位置における断面に相当する断面図
【図７】レバーが初期位置にあるときのコネクタおよびコネクタホルダを示す断面図であって、図５のＢ−Ｂ位置における断面に相当する断面図
【図８】レバーが嵌合完了位置にあるときのコネクタおよびコネクタホルダを示す断面図であって、図５のＡ−Ａ位置における断面に相当する断面図
【図９】レバーが嵌合完了位置にあるときのコネクタおよびコネクタホルダを示す断面図であって、図５のＢ−Ｂ位置における断面に相当する断面図
【図１０】レバーが初期位置と嵌合完了位置との間にあるときのコネクタおよびコネクタホルダを示す平面図
【図１１】レバーの矯正部がコネクタホルダの当接部を押す様子を示す断面図であって、図１０のＣ−Ｃ位置における断面に相当する断面図
【図１２】コネクタがコネクタホルダの所定の位置に至っていない状態を示す断面図であって、図１０のＤ−Ｄ位置における断面に相当する断面図
【発明を実施するための形態】
【０００９】
本発明の好ましい形態を以下に示す。
本発明のレバーコネクタは、前記コネクタホルダには前記コネクタが複数装着されるものとされ、前記当接部が、隣り合う前記コネクタの間に設けられて共用されているものとしてもよい。このような構成によれば、コネクタ毎に当接部を設ける場合に比して、コネクタホルダの構造をシンプルにすることができる。
【００１０】
＜実施例＞
以下、本発明を具体化した一実施例について、図１〜図１２を参照しつつ詳細に説明する。
本実施例におけるレバーコネクタは、コネクタ１０と、コネクタ１０が装着されるコネクタホルダ４０とを備え、レバー３０は、コネクタ１０に回動可能に備えられている。コネクタホルダ４０には、略同形のコネクタ１０が複数（本実施例では２つ）装着されるものとされ、コネクタホルダ４０は車両のボディ等に固定される。
【００１１】
コネクタ１０は、互いに嵌合可能な雄側のハウジング（以下、第１ハウジングＭと称する）と雌側のハウジング（以下、第２ハウジングＦと称する）とを備えている。以下、各構成部材において、コネクタ１０をコネクタホルダ４０に装着する際の装着方向の前側（図２の左側）をそれぞれ前方とし、また、図１の上側を上方、下側を下方として説明する。
【００１２】
第２ハウジングＦは、合成樹脂によりブロック状に形成されており、その内部には、図７に示すように、電線Ｗの端末部に固着された雌側の端子金具Ｔ２が収容される。第２ハウジングＦの左右両側面には、レバー３０のカム溝に挿入可能な一対のカムピン２１が突設されている。
【００１３】
第１ハウジングＭは、合成樹脂により形成されており、その内部には電線Ｗの端末部に固着された雄側の端子金具Ｔ１が収容される。第１ハウジングＭの前側には、第２ハウジングＦが内嵌可能なフード部１１が設けられている。
【００１４】
フード部１１の左右両側面（図６の表裏面）には一対の軸部１２が突設されており、ここには第１ハウジングＭを跨ぐようにして、レバー３０が組み付けられている。
また、フード部１１の左右両側面（図６の表裏面）には、図６に示すように、レバー３０に設けられた初期ロック部３４が係止可能な一対の凸部１３が突設されている。凸部１３は、初期ロック部３４と整合する側面視方形状をなしている。
【００１５】
レバー３０は、軸部１２に対して回動可能に組み付けられる一対のカム板部３１と、両カム板部３１を連結する操作部３２とを備えている。各カム板部３１には、軸部１２を嵌め込み可能な軸受孔３３が設けられている。また、カム板部３１の内側（フード部１１に接する面側）には、第２ハウジングＦのカムピン２１を受入可能な図示しないカム溝が設けられている。
【００１６】
レバー３０は、両ハウジングＭ，Ｆの嵌合操作を開始する初期位置（図５〜図７参照）と、両ハウジングＭ，Ｆが完全に嵌合した状態になる嵌合完了位置（図８および図９参照）との間で回動可能とされている。
レバー３０が初期位置にあるときには、操作部３２はコネクタ１０の後側に位置し、操作部３２を上前側に移動させるとレバー３０が嵌合完了位置に向かって回動する。そして、レバー３０が嵌合完了位置に至ったときには、操作部３２はコネクタ１０の前側に位置する。
【００１７】
レバー３０には、図６に示すように、レバー３０が初期位置にあるときに、コネクタ１０の側面に突設された凸部１３に係止して、レバー３０を初期位置に保持する初期ロック部３４が設けられている。初期ロック部３４は、カム板部３１の周縁部の一部を切り欠くことで形成された凹部であり、互いに略垂直をなす２つの面により構成されている。
【００１８】
コネクタ１０は、レバー３０を初期位置にして両ハウジングＭ，Ｆを浅く嵌合させた状態（第２ハウジングＦのカムピン２１がレバー３０のカム溝の入り口に入った状態）でコネクタホルダ４０の所定の位置に装着され、レバー３０を初期位置から嵌合完了位置まで回動させることで、両ハウジングＭ，Ｆが嵌合方向に移動し、正規の嵌合状態に至るものとされている。
【００１９】
コネクタホルダ４０は、全体として平たい板状をなし、その前端部には、ボディ等に固定される固定部４１が設けられている（図３参照）。
コネクタホルダ４０には、コネクタ１０が装着される装着部４２が２つ、左右（図３では上下）に並んで設けられている。コネクタホルダ４０に装着された各コネクタ１０のレバー３０のカム板部３１は、図１に示すように、一方がコネクタホルダ４０の外側に配され、他方がコネクタホルダ４０の左右方向に対する中央部に配される。
【００２０】
コネクタホルダ４０の幅方向における中央部（一対の装着部４２の間）には、レバー３０の回動操作時にレバー３０のカム板部３１の周縁部が入り込む逃がし溝部４４が設けられている（図３および図６参照）。逃がし溝部４４は、２枚のカム板部３１が一度に並べて入ることが可能な幅寸法を有して、前後方向に延びて設けられている。なお、逃がし溝部４４の幅寸法は、前後方向に略一定とされている。
【００２１】
逃がし溝部４４の後端は、後述するガイド部４５の後端とほぼ横並びに位置し、前端は、ガイド部４５の前端よりも若干後方に位置している。逃がし溝部４４の深さ寸法は、図１１に示すように、少なくともレバー３０のカム板部３１の周面が引っかからない程度の寸法を有している。逃がし溝部４４の前端面と後端面とはコネクタホルダ４０の板面に対して略垂直な面とされている。
【００２２】
各装着部４２の幅方向における中央部には、コネクタホルダ４０にコネクタ１０を装着する際に、後述するコネクタ１０の弾性片１８が通過する経路に沿って通過溝部４３が形成されている。通過溝部４３は、図３に示すように、コネクタホルダ４０の後端から前方に向かって直線状に延びている。
【００２３】
コネクタ１０とコネクタホルダ４０とには、コネクタ１０をコネクタホルダ４０の所定の位置まで案内するガイド構造と、コネクタホルダ４０の所定の位置に装着されるたコネクタ１０をコネクタホルダ４０に固定するロック構造とが備えられている（図４参照）。
【００２４】
ガイド構造は、コネクタホルダ４０に設けられたガイド部４５と、コネクタ１０に設けられたガイド受け部１４とを有している。
コネクタホルダ４０のガイド部４５は、コネクタホルダ４０の各装着部４２に一対ずつが設けられている（図３参照）。一対のガイド部４５は、互いに略平行をなして前後方向に延びている。各ガイド部４５は、図１に示すように、コネクタホルダ４０の上面から上方に立つガイド脚部４６と、ガイド脚部４６の上端から左右両側に張り出すガイド張出部４７とを備えている。ガイド張出部４７の張り出し寸法は、ガイド脚部４６を挟んで一方と他方とで異なるものとされている。
【００２５】
コネクタ１０のガイド受け部１４は、図４に示すように、各コネクタ１０（第１ハウジングＭ）の下面の幅方向における両端部に設けられている。ガイド受け部１４には、前方からガイド部４５が差し入れ可能とされている。
【００２６】
ガイド受け部１４には、差し入れられたガイド部４５のガイド張出部４７の下面側に係止するガイド受け片１５が設けられている（図１参照）。ガイド受け片１５は、第１ハウジングＭの幅方向における両端から中央側に向かって張り出す形状をなしている。各ガイド受け片１５の張り出し寸法は、係止するガイド張出部４７の張り出し寸法と同等とされ、コネクタホルダ４０に固定された状態でコネクタホルダ４０の中央側に配されるガイド受け片１５の張り出し寸法が、外側に配されるガイド受け片１５の張り出し寸法よりも大きくされている（図１参照）。
【００２７】
そして、ガイド受け部１４にガイド部４５が差し入れられた状態では、コネクタ１０は、上下方向および左右方向の移動を制限された状態で、前後方向への移動のみ許容される。
【００２８】
ガイド受け部１４の後端部には、差し入れられたガイド部４５の後端に当接してコネクタ１０の前進を止める止め部１６が設けられている（図４参照）。止め部１６は、コネクタ１０がコネクタホルダ４０の所定の位置に至ったときに、コネクタホルダ４０のガイド部４５に当接するものであり、ガイド受け部１４とガイド部４５とはロック構造を兼ねている。
【００２９】
ロック構造は、図３および図４に示すように、コネクタホルダ４０に設けられたロック部４８と、コネクタ１０に設けられたロック受け部１７とを有している。
コネクタホルダ４０のロック部４８は、図３に示すように、コネクタホルダ４０の装着部４２に一ずつ設けられている。ロック部４８は、各装着部４２の幅方向における略中央に配されている。
【００３０】
ロック部４８の幅方向における中央部には、コネクタ１０の弾性片１８が係止可能な係止部４９が設けられている（図９参照）。係止部４９は、通過溝部４３の前端寄りの途中位置において通過溝部４３の上方に掛け渡された形態で設けられている。係止部４９は、弾性片１８の係止爪１８Ｎの後面に係止してコネクタ１０の後方への移動を制限する。係止部４９の前面には、若干下前側に傾く傾斜をなして全体的には略垂直に切り立つ面が形成され、また、係止部４９の後面には、係止爪１８Ｎの乗り越えを誘導するべく傾斜した面が形成されている。なお、通過溝部４３のうち係止部４９と対向する部分には、コネクタホルダ４０を上下方向に貫通して開口部５１が形成されている。
【００３１】
係止部４９の両側には、図１に示すように、ロック部４８がロック受け部１７に差し入れられると、ロック受け部１７と係止することで、コネクタ１０の上下方向および左右方向の移動を制限する制限部５２が設けられている。一対の制限部５２は、図３に示すように、通過溝部４３の両側に沿って設けられ、その後端部同士が係止部４９によって連結された形態とされている。
【００３２】
制限部５２は、図１に示すように、コネクタホルダ４０の上面から上方に立つ制限脚部５３と、制限脚部５３の上端から左右両側に張り出す制限張出部５４とを備えて、前後方向に延びている。制限張出部５４は、係止部４９とは反対側への張り出し寸法が大きくされている。なお、制限部５２の高さ寸法および前後方向の寸法は、いずれもガイド部４５の同方向の寸法よりも小さくされている。
【００３３】
コネクタ１０のロック受け部１７は、図４に示すように、第１ハウジングＭの下面の幅方向における中央部に設けられている。ロック受け部１７の幅方向における中央部には、前方に向かって片持ち状に延び、後端部を支点として上下方向に弾性撓み可能とされた弾性片１８が備えられている（図９参照）。弾性片１８の前端部には、係止爪１８Ｎが上方に突出して設けられている。弾性片１８は、前端から後端に向かって次第に薄くなる（上下方向の寸法が小さくなる）形状とされている。
【００３４】
ロック受け部１７のうち弾性片１８の両側には、図１に示すように、ロック部４８に備えられた制限張出部５４の下面側に係止するロック受け片１９が設けられている。ロック受け片１９の張り出し寸法は、係止する制限張出部５４の張り出し寸法と同等とされている。
【００３５】
さて、レバー３０には、コネクタ１０がコネクタホルダ４０の所定の位置に装着されていない場合に回動されると、コネクタホルダ４０の当接部５５に当接してコネクタ１０を所定の位置まで押して矯正する矯正部３５が設けられている（図１１参照）。
【００３６】
矯正部３５は、一対のカム板部３１のうち、コネクタ１０がコネクタホルダ４０に装着された際にコネクタホルダ４０の中央側に配されるカム板部３１に設けられている。
矯正部３５は、初期ロック部３４を構成する２つの面のうちレバー３０が初期位置から嵌合完了位置に向かう際の回動方向における後側に位置する面とされている。
【００３７】
矯正部３５は、レバー３０が初期位置にあるときには、図６に示すように、コネクタ１０の前端部に配され、コネクタ１０の下面よりも若干上方の高さに位置している。そして、矯正部３５は、レバー３０が嵌合完了位置に向かうにつれて後方へ移動するとともにコネクタ１０の下面と同等の高さまで下がり、その後、さらに後方へ移動しつつ上昇し、最終的には、図８に示すように、初期に配されていた位置よりも高い位置に至るものとされている。なお、矯正部３５は、レバー３０が初期位置にあるときには略水平に配される。
【００３８】
当接部５５は、コネクタホルダ４０のうち一対の装着部４２の間（隣り合うコネクタ１０の間）に設けられている。当接部５５は、図１１に示すように、コネクタホルダ４０に形成された逃がし溝部４４の後端面とされ、隣接するコネクタ１０によって共用されている。
【００３９】
次に、上記のように構成されたコネクタ１０をコネクタホルダ４０に固定する作業の一例について説明する。
まず、一対のハウジングＭ，Ｆを浅く嵌合する。レバー３０を初期位置におき、両ハウジングＭ，Ｆの前面側を対向させ、第１ハウジングＭのカムピン２１がレバー３０のカム溝の入り口に進入した状態にする。
【００４０】
次に、コネクタ１０をコネクタホルダ４０に装着する。コネクタ１０のガイド受け部１４に、コネクタホルダ４０のガイド部４５が前方から挿入されるようにして、コネクタ１０をコネクタホルダ４０の上面に沿って後方から前方に向けてスライド移動させる。コネクタ１０を前方へ押すと、ガイド部４５およびガイド受け部１４に案内されてコネクタ１０は前進し、やがて所定の位置に至ると、ロック受け部１７にロック部４８が差し入れられてコネクタ１０が固定される。この際、ロック受け部１７の弾性片１８が、下側に弾性変形してロック部４８の係止部４９を乗り越えた後、弾性復帰して係止部４９の前面側に係止する。また、ガイド受け部１４の止め部１６がガイド部４５の後面に突き当たる。これにより、コネクタ１０は前後方向の移動が制限された状態になる。
【００４１】
次に、レバー３０を嵌合完了位置に向けて回動させ、両ハウジングＭ，Ｆを完全嵌合状態に至らしめる。レバー３０の回動操作に伴って、カムピン２１とカム溝との係合によるカム作用により、両ハウジングＭ，Ｆが互いに引き寄せられる。この際、カム板部３１の周縁部は逃がし溝部４４に入り込み、レバー３０はスムーズに回動される。そして、レバー３０が嵌合完了位置にいたると、図９に示すように、両ハウジングＭ，Ｆは雄雌の端子金具Ｔ１，Ｔ２が電気的に接続された完全嵌合状態になる。
【００４２】
ところで、図１２に示すように、コネクタ１０がコネクタホルダ４０の所定の位置に装着されていないにもかかわらず、レバー３０の回動動作がなされる場合がある。このような場合には、コネクタ１０が所定の位置よりも後方に位置しているため、図１１に示すように、回動されたレバー３０の矯正部３５がコネクタホルダ４０の当接部５５に当接してレバー３０の回動が途中で止まる。これにより、作業者は、コネクタ１０が所定の位置に装着されていないことに気づくから、コネクタ１０を所定の位置に装着しなおし、引き続きレバー３０の回動動作を行うことで、両ハウジングＭ，Ｆを完全嵌合状態に至らしめることができる。
【００４３】
ここで、作業者が、レバー３０に強い力を加えて、レバー３０の回動を続けようとする場合がある。そのような場合には、矯正部３５が当接部５５を押してレバー３０が回動し、それに伴ってコネクタ１０が前方に移動する。そして、コネクタ１０は所定の位置に至り、先述のようにロック構造により固定される。また、レバー３０の矯正部３５が当接部５５から離れ、レバー３０はスムーズに回動されて嵌合完了位置に至り、両ハウジングＭ，Ｆは完全嵌合状態になる。
こうして、コネクタ１０をコネクタホルダ４０に固定する作業が完了する。
【００４４】
次に、上記のように構成された実施例の作用および効果について説明する。
本実施例のレバーコネクタは、コネクタ１０と、コネクタ１０が装着されるコネクタホルダ４０と、コネクタ１０に回動可能に備えられたレバー３０と、コネクタ１０がコネクタホルダ４０の所定の位置に装着されるとコネクタ１０をコネクタホルダ４０に固定するロック構造とを有し、レバー３０には、コネクタ１０が所定の位置に装着されていない場合に回動されると、コネクタホルダ４０の当接部５５に当接してコネクタ１０を所定の位置まで押して矯正する矯正部３５が設けられている。
【００４５】
この構成によれば、コネクタ１０がコネクタホルダ４０の所定の位置に装着されていない場合にレバー３０が回動されると、レバー３０の矯正部３５がコネクタホルダ４０の当接部５５に当接してコネクタ１０を所定の位置まで押して矯正し、所定の位置に至ったコネクタ１０はロック構造によってコネクタホルダ４０に固定される。したがって、レバー３０の当接部位に部品の損傷を招くほどの過度の力が加わることを防ぐことができ、かつコネクタ１０を確実に所定の位置に装着することができる。
【００４６】
また、コネクタホルダ４０にはコネクタ１０が複数装着されるものとされ、当接部５５が、隣り合うコネクタ１０の間に設けられて共用されている。この構成によれば、コネクタ毎に当接部を設ける場合に比して、コネクタホルダ４０の構造をシンプルにすることができる。
【００４７】
＜他の実施例＞
本発明は上記記述及び図面によって説明した実施例に限定されるものではなく、例えば次のような実施例も本発明の技術的範囲に含まれる。
（１）上記実施例では、矯正部３５がレバー３０の周縁部に設けられているが、これに限らず、例えば、当接部をコネクタホルダの上面に立設し、矯正部をカム板部の板面に突設してもよい。
（２）上記実施例では、矯正部３５が初期ロック部３４を構成する面とされているが、これに限らず、矯正部と初期ロック部とを別々に設けても良い。
（３）上記実施例では、２つのコネクタ１０において当接部５５が共用されているが、これに限らず、各コネクタに一ずつ当接部を設けても良い。
（４）上記実施例では、一対のカム板部３１のうち一方のカム板部３１のみに矯正部３５が設けられているが、これに限らず、一対のカム板部の両方に矯正部を設けても良い。
（５）上記実施例では、１のコネクタホルダ４０に２のコネクタ１０が装着される場合について説明したが、これに限らず、１のコネクタホルダに１のコネクタのみ、または３以上のコネクタが装着されるものとしてもよい。
（６）上記実施例では、レバー３０は、雄側のハウジングＭに組み付けられているが、これに限らず、レバーは雄雌いずれのハウジングに組み付けられていてもよい。
（７）上記実施例では、ロック構造として、ガイド受け部１４、ロック受け部１７、ガイド部４５およびロック部４８が備えられているが、ロック構造の具体的な構造は、コネクタをコネクタホルダの所定の位置にスライドして固定可能であれば、どのような構造であってもよい。
【符号の説明】
【００４８】
１０…コネクタ
１４…ガイド受け部
１７…ロック受け部
４０…コネクタホルダ
４５…ガイド部
４８…ロック部
３０…レバー
３５…矯正部
５５…当接部
【図１】
0006296353.tif 000002
【図２】
0006296353.tif 000003
【図３】
0006296353.tif 000004
【図４】
0006296353.tif 000005
【図５】
0006296353.tif 000006
【図６】
0006296353.tif 000007
【図７】
0006296353.tif 000008
【図８】
0006296353.tif 000009
【図９】
0006296353.tif 000010
【図１０】
0006296353.tif 000011
【図１１】
0006296353.tif 000012
【図１２】
0006296353.tif 000013